(57)【要約】      （修正有）【課題】通常家庭で使用している椅子をそのまま使用でき、椅子の脚部の間からの冷気の浸入がなく、暖房効果が高い椅子型こたつ布団を提供する。【解決手段】テーブルの内側上面に電気ヒーター２を取付け、テーブル全体を覆うようにこたつ布団３を掛けて、椅子４に座ってテーブルに両足５を入れて暖房する椅子型こたつにおいて、こたつ布団３の側面に両足５を挿入するスリット７を横方向に形成して、このスリット７にファスナー８を取付けて、スリット７を開閉自在に形成したものである。【選択図】図５
0003182233.tif 000002
【実用新案登録請求の範囲】
【請求項１】
テーブルの内側上面に電気ヒーターを取付け、テーブル全体を覆うように布団を掛けて、椅子に座ってテーブルに両足を入れて暖房する椅子型こたつにおいて、こたつ布団の側面に両足を挿入するスリットを横方向に形成して、このスリットにファスナーを取付けて、スリットを開閉自在に形成したことを特徴とする椅子型こたつ布団。
【請求項２】
こたつ布団の側面に両足を挿入するスリットが直線状またはＶ形状に形成され、ここにファスナーが開閉自在に取付けられていることを特徴とする請求項１記載の椅子型こたつ布団。
【請求項３】
ファスナーが線ファスナーまたは面ファスナーで形成されていることを特徴とする請求項１記載の椅子型こたつ布団。
【考案の詳細な説明】
【技術分野】
【０００１】
本考案は、椅子型こたつに入った時に、冷気の侵入を防止する布団の改良に関するものである。
【背景技術】
【０００２】
一般にこたつは、テーブルの内側上面に電気ヒーターを取付け、テーブル全体を覆うように布団を掛け、畳に座って両足を伸ばして入るタイプのものが利用されている。この畳に座って両足を伸ばして入るタイプのこたつは、こたつ布団と体の両脇の間に隙間ができて、ここから暖気が漏れるのを防止するために、こたつ布団の各辺の中間にギャザーを形成して隙間ができないようにした構造のものがある（特許文献１）。
【０００３】
また畳に座るタイプのこたつで、こたつ布団の対抗する辺に、長尺な舌片部を重ね、この舌片部に体を入れるスリットを縦方向に形成し、通常は折り返して二重にして、舌片部を使用する時は、広げて体を入れ、スリットから顔を出して寝たり、舌片部を体に巻き付けて、こたつ布団から出た体の部分を暖める構造のこたつ布団も提案されている（特許文献２）。
【０００４】
一方、近年生活の洋風化により畳の部屋が少なくなり、ダイニングなどの床の上に設置し、椅子に座ったままで体を温める椅子型のこたつが普及してきた。これは図９に示すようにテーブル１の内側上面に電気ヒーター２を取付け、テーブル全体を覆うようにこたつ布団３を掛けて、椅子４に座ってテーブル１の内側に両足５を入れて暖房するもので、椅子４に座ったまま食事や読書などができる椅子型のこたつが普及してきている。
【０００５】
しかしながら、この椅子型のこたつは椅子４に座ったままテーブル１の下に両足５を入れると、椅子４の４本の脚部の間に隙間があるので、ここから冷気がこたつの内側に侵入し、暖房効果が低下する問題がある。このため椅子４の脚部の間に遮蔽板を取付けて冷気がこたつの内側に侵入しないようにした椅子４も開発されている。この遮蔽板を取付けた椅子４は椅子型こたつ専用であり、その座る高さも一定で、回転式の椅子や、普段使用している椅子の場合には、冷気がこたつの内側に侵入してしまう問題があった。
【先行技術文献】
【特許文献】
【０００６】
【特許文献１】特開平９−２３６２６９号公報
【特許文献２】実用新案登録第３１７００４７号公報
【考案の概要】
【考案が解決しようとする課題】
【０００７】
本考案は上記問題を改善し、通常家庭で使用している椅子をそのまま使用でき、椅子の脚部の間からの冷気の浸入がなく、暖房効果が高い椅子型こたつ布団を提供するものである。      
【課題を解決するための手段】
【０００８】
本考案の請求項１記載の椅子型こたつ布団は、テーブルの内側上面に電気ヒーターを取付け、テーブル全体を覆うように布団を掛けて、椅子に座ってテーブルに両足を入れて暖房する椅子型こたつにおいて、こたつ布団の側面に両足を挿入するスリットを横方向に形成して、このスリットにファスナーを取付けて、スリットを開閉自在に形成したことを特徴とするものである。
【０００９】
本考案の請求項２記載の椅子型こたつ布団は、こたつ布団の側面に両足を挿入するスリットが直線状またはＶ形状に形成され、ここにファスナーが開閉自在に取付けられていることを特徴とするものである。
【００１０】
本考案の請求項３記載の椅子型こたつ布団は、請求項１において、ファスナーが線ファスナーまたは面ファスナーで形成されていることを特徴とするものである。
【考案の効果】
【００１１】
本考案に係る請求項１記載の椅子型こたつ布団によれば、椅子型こたつのこたつ布団に横方向のスリットを形成し、ここに開閉自在にファスナーを設けて、ここから両足を内部に挿入するので、こたつ布団がめくれ上がったり、椅子の脚の隙間から冷気が侵入するのを防止し、暖房効果を高めて省エネ化を達成することができる。
【００１２】
また請求項２記載の椅子型こたつ布団によれば、こたつ布団の側面に両足を挿入するスリットが直線状またはＶ形状に形成され、ここにファスナーが開閉自在に取付けられているので、椅子の高さに応じて使用することができる。
【００１３】
また請求項３記載の椅子型こたつ布団によれば、ファスナーが線ファスナーまたは面ファスナーで形成されているので、開閉が容易である。
【考案を実施するための最良の形態】
【００１４】
以下本考案の実施の一形態を図１ないし図５を参照して詳細に説明する。図１は椅子型こたつ布団を示すもので、テーブル１の内側上面に電気ヒーター２を取付け、テーブル全体を覆うようにこたつ布団３を掛けて、椅子４に座ってテーブル４の下に両足５を入れて暖房する椅子型こたつ布団である。このこたつ布団３の側面に、直線状のスリット７が横方向に形成され、このスリット７に線ファスナー８を取付けて、スリット７が開閉自在に形成されている。この線ファスナー８は両側にスライダー９、９を設けた両開き構造のものである。
【００１５】
このスリット７は椅子４の座る高さが例えば４３ｃｍの場合、図１に示すように床１２から３０〜４０ｃｍの高さが望ましく、その横幅は４８〜５２ｃｍ程度が望ましい。線ファスナー８の両側にスライダー９、９を両開きした時、図３に示すようにスリット７は大きく口を開いた状態となり、その下部エレメントの中間部の高さは床１２から２４ｃｍ程度になる。両スライダー９を途中で止めるとスリット７の横幅を狭く調整することができる。
【００１６】
上記構成の椅子型こたつに入る場合、先ず椅子４に斜めに腰掛けてから、線ファスナー８のスライダー９、９を両開きにして図３に示すように、スリット７を大きく開いた状態とする。この後、先ず左足５をスリット７から内部に挿入してから、最後に右足５をスリット７から内部に挿入し、両スライダー９、９を寄せると図４および図５に示すように、こたつ布団３のスリット７との間に隙間が無く、両足５、５だけが挿入される。なお１１はこたつ布団３の下に掛けた下掛け毛布である。
【００１７】
従って、こたつ布団３に横方向のスリット７を形成し、ここに開閉自在に線ファスナー８を設けて、ここから両足５を内部に挿入するので、こたつ布団３がめくれ上がったり、椅子４の脚の隙間から冷気が侵入するのを防止して暖房効果を高めて省エネ化を達成することができる。
【００１８】
スリット７の高さは床１２から３０〜４０ｃｍの高さが望ましく、これより低いと、両足５、５を挿入した時にこたつ布団３の裾が持ち上がって床１２との間に隙間ができ冷気が浸入する恐れがある。また４０ｃｍを越えると、足５の不自由な人は、持ち上げてスリット７に挿入するのが面倒である。またスリット７の高さは、回転椅子や子供用の椅子など、椅子４の種類に応じて決める。またこたつ布団３の一方の側面には高いスリット７を形成し、反対側の側面には低いスリット７を形成した構造でも良い。
【００１９】
図６は本考案の他の実施の形態を示すもので、こたつ布団３の片側側面に、高さの異なるスリット７、７を段違いに形成したものである。これは高さの異なる椅子４にも対応することができる。
【００２０】
図７は本考案の異なる他の実施の形態を示すもので、４人掛けの長方形状の椅子型こたつで、こたつ布団３の片側側面に、間隔をおいて２本のスリット７、７を形成したものである。
【００２１】
図８は本考案の異なる他の実施の形態を示すもので、こたつ布団３の片側側面に、Ｖ形のスリット７、７を形成したもので、この両側に線ファスナー８、８がそれぞれ取付けられ、足５を挿入し易くなっている。
【００２２】
なお上記説明ではスリット７に線ファスナー８として２個のスライダー９、９を取付けて両開き構造の場合について示したが、片開き構造でも良い。また線ファスナー８を取付けた場合について説明したが、フック面とループ面を組合せる面ファスナーを用いて開閉自在にした構造でも良い。
【図面の簡単な説明】
【００２３】
【図１】本考案の実施の一形態による椅子型こたつの斜視図である。
【図２】図１の椅子型こたつを示す正面図である。
【図３】図１の椅子型こたつの線ファスナーを両開きしてスリットが大きく開いた状態を示す正面図である。
【図４】図１の椅子型こたつに、椅子に腰かけて両足を挿入している状態を示す斜視図である。
【図５】図４の断面図である。
【図６】本考案の他の実施の形態によるスリットを段違いに形成した椅子型こたつ布団の正面図である。
【図７】本考案の他の実施の形態によるスリットを、間隔をおいて形成した４人掛け用の椅子型こたつ布団の正面図である。
【図８】本考案の異なる他の実施の形態によるＶ形のスリットを形成した椅子型こたつ布団の正面図である。
【図９】従来の椅子型こたつに、椅子に腰かけて両足を挿入している状態を示す正面図である。
【符号の説明】
【００２４】
１    テーブル                                              
２    電気ヒーター                                          
３    こたつ布団                                            
４    椅子                                                  
５    足                                                    
６    天板                                                  
７    スリット                                              
８    線ファスナー                                          
９    スライダー                                            
１１  下掛け毛布                                            
１２  床                                                    
【図１】
0003182233.tif 000003
【図２】
0003182233.tif 000004
【図３】
0003182233.tif 000005
【図４】
0003182233.tif 000006
【図５】
0003182233.tif 000007
【図６】
0003182233.tif 000008
【図７】
0003182233.tif 000009
【図８】
0003182233.tif 000010
【図９】
0003182233.tif 000011